(57)【要約】【課題】ストラップの張力状態を表示する張力表示器を提供する。【解決手段】安全ベルト帯状ストラップ（１）は、ストラップの長手方向に沿った二つの箇所（３）においてストラップに縫いつけられた一枚の弾性ベルト（２）を有する。ストラップの長手方向に沿った二つの縫い目の位置は、ストラップ又はベルトのいずれにも張力が存在せず、ストラップが弛んだ状態において、ベルトによりストラップにたるんだ部分又は腹部（４）が発生するような位置である。スリーブの二つの縦方向部分（５、６）は、同じ箇所（３）に縫いつけられる。弾性ベルトはスリーブの縦方向部分の中に通される。これらのスリーブは長さが等しく、かつ、二つを合わせた長さは、弾性ベルトが弛んだ状態においてその全長に等しい。弾性ベルトに張力がかかれば、二つの縦方向部分（５、６）との間に存在する継ぎ目において弾性ベルトが露出し、スリーブ長よりも長く伸びる。したがって、図２に示されるように、弾性ベルトが露出し、スリーブの縦方向部分間において目視することができる。ベルトが伸びる長さは、ストラップに沿った縫い目間の距離によって制限される。ストラップがまっすぐになれば、ベルトはそれ以上は伸びない。【選択図】図２
2007528821.tif 000002
【特許請求の範囲】
【請求項１】
張力を表示すべきストラップと組み合わせて用いる張力表示器であって、
前記張力表示器が、
前記ストラップの長手方向に沿った二つの所定箇所に、その端部を取り付けた弾性部材と；
前記ストラップと前記弾性部材が張力状態にあることを視覚的に表示する手段と；を備え、
前記弾性部材の前記二つの所定箇所の間隔が、前記ストラップ上では、張力状態にない前記弾性部材の長手方向の自然長以上の長さに設定され、前記ストラップが張力状態にないとき、前記二つの所定箇所の間で、前記ストラップが弛んで腹部を形成する、ことを特徴とする張力表示器。
【請求項２】
前記弾性部材の前記端部は、前記弾性部材の末端部である、請求項１記載の張力表示器。
【請求項３】
前記弾性部材の前記端部は、その末端部から、弾性部材として機能しない部位を除く、実効端部である、請求項１記載の張力表示器。
【請求項４】
前記弾性部材の前記端部が、前記ストラップに直接に取り付けられた、請求項１、２又は３記載の張力表示器。
【請求項５】
前記弾性部材の前記端部が、中間部材を介して前記ストラップに取り付けられた、請求項１、２又は３記載の張力表示器。
【請求項６】
前記中間部材が前記視覚的に表示する手段の一部分を形成する、請求項５記載の張力表示器。
【請求項７】
前記弾性部材及び前記視覚的に表示する手段のうち、一方を外側部材として、他方を内側部材として、該内側部材を、前記外側部材の中に少なくとも部分的に配置した、請求項１乃至６のいずれか一項に記載の張力表示器。
【請求項８】
前記弾性部材が前記内側部材であり、
前記視覚的に表示する手段が、その端部を前記弾性部材の端部に取り付け、かつ、前記弾性部材を覆おう、外側部材であり、
前記外側部材が、該外側部材が張力状態にあるときに前記内側弾性部材を目視できるよう露出させる、少なくとも一つの開口を備え、
前記内側部材及び前記外側部材の双方の端部を前記ストラップに取り付けて、前記外側部材及び前記内側部材の双方が伸びるような構成とした、請求項７記載の張力表示器。
【請求項９】
前記弾性部材が、前記ストラップの長手方向に沿った前記二つの所定箇所に取り付けられた所定長さの弾性材料であり、
前記二つの所定箇所を、張力状態にない前記弾性材料の自由長より長い間隔で、前記ストラップの長手方向に設け、
前記視覚的に表示する手段が、前記ストラップに取り付けられたスリーブであり、前記弾性材料が前記スリーブの中に収容され、前記弾性材料が張力状態にないときに、前記スリーブが前記弾性材料を覆うような長さを有し、
前記ストラップが張力状態になると、前記弾性材料が前記スリーブから引き出されて露出して、前記ストラップが張力状態であることが目視できる、請求項７記載の張力表示器。
【請求項１０】
前記スリーブが、前記弾性材料の端部から所定長さ離れて前記ストラップに取り付けられた、請求項４に従属する請求項９記載の張力表示器。
【請求項１１】
前記弾性材料が、前記スリーブを介して前記ストラップに取り付けられる、請求項４に従属する請求項９記載の張力表示器。
【請求項１２】
前記スリーブが、前記弾性材料の一端に設けられ、張力状態のとき、他端から前記弾性材料が露出する、請求項９、１０又は１１記載の張力表示器。
【請求項１３】
前記スリーブが、前記弾性材料の両端に設けられ、張力状態のとき、前記スリーブの中央部で前記弾性材料を露出する、請求項９、１０又は１１記載の張力表示器。
【請求項１４】
前記弾性材料が内部着色された、請求項９乃至１３のいずれか一項に記載の張力表示器。
【請求項１５】
前記弾性材料が、色のグラデーション、又は、マーカーを備え、露出の程度に従って前記ストラップに作用する張力の程度を表示する、請求項９乃至１３のいずれか一項に記載の張力表示器。
【請求項１６】
前記弾性部材が中央空間を有する外側部材であり、
前記視覚的に表示する手段が、
前記外側部材内に配置され、かつ、前記外側部材が張力状態にあるときに
開く少なくとも一つの開口と；
前記外側部材の中央空間内に配置される内側部材と；からなり、
前記外側部材が張力状態になると、前記開口を介して前記内側部材を目視できる、請求項４記載の張力表示器。
【請求項１７】
前記内側部材が、前記外側部材の端部において、前記内側部材の端部を前記ストラップに取り付けた、伸長可能な部材である、請求項１６記載の張力表示器。
【請求項１８】
前記内側部材が、その一端を前記外側部材の一端に取り付けた、伸長不能な部材である、請求項１６記載の張力表示器。
【請求項１９】
前記内側部材が、前記外側部材のみによって前記外側部材内に固定される、請求項１６記載の張力表示器。
【請求項２０】
前記弾性部材が、端部の輪によって前記ストラップに取り付けられたコイルばねであり、前記視覚的に表示する手段が、前記ばね内に配置された釘又は棒である、請求項１６乃至１９のいずれか一項に記載の張力表示器。
【請求項２１】
前記コイルばねが、張力状態にないときには収縮し、前記ばねのコイルを開くのに十分な張力状態となるまで前記視覚的に表示する手段を覆う、請求項１９記載の張力表示器。
【発明の詳細な説明】
【技術分野】
【０００１】
本発明は、ストラップの張力を表示する張力表示器に関する。
【背景技術】
【０００２】
乗用車等のシートに取り付けられるチャイルドシートでは、幼児をチャイルドシートに保持するストラップ、及び、このチャイルドシートを車両に締結する一つ又は複数のストラップを張力状態を保つこと（弛まずにピンと張ること）が要求される。
幼児をチャイルドシートに保持するストラップの場合、このストラップの伸張は、通常、中央ストラップを引き出すことによってなされる。そして、この中央ストラップは、他のストラップ、特に、ショルダーストラップに取り付けられる場合が多く、この中央ストラップにより、これらストラップ（の集合体）を張力状態に保っている。
一方、チャイルドシートを車両に締結するストラップの場合、ストラップの伸張は、張力調節器を備えるストラップで張力状態の強弱を調節している。
【０００３】
一般的な張力調節装置は、ストラップの張力状態（張りぐあい）を感じ取る以外は、着座者がストラップの張力を測定できる手段を有していない。
【０００４】
本明細書において「張力表示器」とは、ストラップに弛みのないことを表示する装置と定義する。
【発明の開示】
【発明が解決しようとする課題】
【０００５】
本発明は、ストラップの張力状態を表示する表示器を提供することを目的とする。
【課題を解決するための手段】
【０００６】
本発明は、張力を表示すべきストラップと組み合わせて用いる張力表示器であって、前記張力表示器が、前記ストラップの長手方向に沿った二つの所定箇所に、その端部を取り付けた弾性部材と；前記ストラップと前記弾性部材が張力状態にあることを視覚的に表示する手段と；を備え、前記弾性部材の前記二つの所定箇所の間隔が、前記ストラップ上では、張力状態にない前記弾性部材の長手方向の自然長以上の長さに設定され、前記ストラップが張力状態にないとき、前記二つの所定箇所の間で、前記ストラップが弛んで腹部を形成する、ことを特徴とする。
【０００７】
前記弾性部材の前記端部は、前記弾性部材の末端部であると好ましく、また、その末端部から、弾性部材として機能しない部位を除く、実効端部であってもよい。すなわち、弾性部材の「端部」は、必ずしも弾性部材の（輪郭によって決定される）末端部を意味するのみならず、弾性部材が張力を実質的に伝達できる部分の末端部（実効端部）であってもよいことを意味する。例えば、弾性部材（弾性ベルト）が、（輪郭によって決定される）末端部から所定長さ長手方向に奥まってストラップに縫いつけられると、この縫い目と（輪郭によって決定される）末端部との間に存在する残存的な部分は、ストラップの張力を表示するために弾性部材が伸びるときに何らの役割も果たさない。
【０００８】
前記弾性部材の前記端部が、前記ストラップに直接に取り付けられると好ましく、また、中間部材を介して前記ストラップに取り付けられてもよい。
【０００９】
前記中間部材が、前記視覚的に表示する手段の一部分を形成すると好ましい。
【００１０】
前記弾性部材及び前記視覚的に表示する手段のうち、一方を外側部材として、他方を内側部材として、該内側部材を、前記外側部材の中に少なくとも部分的に配置すると好ましい。
【００１１】
前記弾性部材が前記内側部材であり、前記視覚的に表示する手段が、その端部を前記弾性部材の端部に取り付け、かつ、前記弾性部材を覆おう、外側部材であり、前記外側部材が、該外側部材が張力状態にあるときに前記内側弾性部材を目視できるよう露出させる、少なくとも一つの開口を備え、前記内側部材及び前記外側部材の双方の端部を前記ストラップに取り付けて、前記外側部材及び前記内側部材の双方が伸びるような構成とすると好ましい。
【００１２】
前記視覚的に表示する手段が、前記ストラップに取り付けられたスリーブであり、前記弾性材料が前記スリーブの中に収容され、前記弾性材料が張力状態にないときに、前記スリーブが前記弾性材料を覆うような長さを有し、前記ストラップが張力状態になると、前記弾性材料が前記スリーブから引き出されて露出して、前記ストラップが張力状態であることが目視できると好ましい。なお、スリーブは、弾性材料の端部から遠く離れてストラップに取り付けられてもよい。例えば、弾性材料は、スリーブを介してストラップに取り付けられてもよい。一方、スリーブ及び弾性部材は、同じ箇所でストラップに縫いつけられると好ましい。
【００１３】
前記弾性部材が、前記ストラップの長手方向に沿った前記二つの所定箇所に取り付けられた所定長さの弾性材料であり、前記二つの所定箇所を、張力状態にない前記弾性材料の自由長より長い間隔で、前記ストラップの長手方向に設け、前記視覚的に表示する手段が、前記ストラップに取り付けられたスリーブであり、前記弾性材料が前記スリーブの中に収容され、前記弾性材料が張力状態にないときに、前記スリーブが前記弾性材料を覆うような長さを有し、前記ストラップが張力状態になると、前記弾性材料が前記スリーブから引き出されて露出して、前記ストラップが張力状態であることが目視できると好ましい。
【００１４】
前記スリーブが、前記弾性材料の端部から所定長さ離れて前記ストラップに取り付けられると好ましい。
【００１５】
前記弾性材料が、前記スリーブを介して前記ストラップに取り付けられると好ましい。
【００１６】
前記スリーブが、前記弾性材料の一端に設けられ、張力状態のとき、他端から前記弾性材料を露出させると好ましい。
【００１７】
前記スリーブが、前記弾性材料の両端に設けられ、張力状態のとき、前記スリーブの中央部で前記弾性材料を露出させると好ましい。
【００１８】
前記弾性材料が内部着色されると好ましく、また、色のグラデーション、又は、マーカーを備え、露出の程度に従って前記ストラップに作用する張力の程度を表示してもよい。
【００１９】
前記弾性部材が中央空間を有する外側部材であり、前記視覚的に表示する手段が、前記外側部材内に配置され、かつ、前記外側部材が張力状態にあるときに開く少なくとも一つの開口と；前記外側部材の中央空間内に配置される内側部材と；からなり、前記外側部材が張力状態になると、前記開口を介して前記内側部材を目視できると好ましい。
【００２０】
前記内側部材が、前記外側部材の端部において、前記内側部材の端部を前記ストラップに取り付けた、伸長可能な部材であると好ましく、また、その一端を前記外側部材の一端に取り付けた、伸長不能な部材とすることもできる。
【００２１】
前記内側部材が、前記外側部材のみによって前記外側部材内に固定されると好ましい。
【００２２】
前記弾性部材が、端部の輪によって前記ストラップに取り付けられたコイルばねであり、前記視覚的に表示する手段が、前記ばね内に配置された釘又は棒であると好ましい。
【００２３】
前記コイルばねが、張力状態にないときには収縮し、前記ばねのコイルを開くのに十分な張力状態となるまで前記視覚的に表示する手段を覆うと好ましい。
【発明の効果】
【００２４】
以上の本発明にかかる張力表示器によれば、ストラップの張力状態（張りぐあい）を視覚的に把握することができる。
【発明を実施するための最良の形態】
【００２５】
図１及び図２に示すように、幼児をチャイルドシートに固定するために、又は、チャイルドシートを乗用車等のシートに締結するための安全ベルトに使用する帯状ストラップ１（以下、ストラップ１）は、長手方向に沿った二つの縫い目３で縫いつけられた弾性ベルト２（以下、ベルト２）を備えている。このストラップ１の二つの縫い目の位置は、ストラップ１又はベルト２のいずれもが張力状態になく、自然長のベルト２の下方で、ストラップ１が（図１に示すように）弛んだ部分（腹部）４を形成するように、設定されている。ベルト２について換言すると、二つの縫い目の位置は、張力状態にないベルト２の長手方向の自然長以上の長さ離して位置させている。
【００２６】
さらに、図２に示すように、ベルト２は、より具体的には、各縫い目でストラップ１に縫いつけられたスリーブ５及び６の中に収容されている。これらのスリーブ５及び６はそれぞれ等しい長さを有し、かつ、二つを合わせた全長は、ベルト２の自然長に等しい。スリーブ５及び６は、充填剤入りの及びカレンダー仕上げの不織布材料のような容易には皺が発生しない素材で作製されるが、図１に示すように、ベルト１が弛んでいる状態では、ベルト２を完全に包み込んでいる。
【００２７】
ベルト２に張力がかかれば、図２に示されるように、スリーブ５及び６の自然長よりも長く伸び、スリーブ５及び６が離れ、その間からベルト２を目視することができる。ベルト２が伸びる長さは、ストラップ１に沿った縫い目３の間の距離によって規定され、ストラップ１が、完全な張力状態で直線状になると、ベルト２はそれ以上は伸びない。
【００２８】
ベルト２が完全な張力状態となったときのストラップ１にかかる実際の張力は、ベルト２にかかる張力に等しい。さらに、ベルト２が張力状態であるときに、ストラップ１にさらなる張力がかかれば、ストラップ１にかかる実際の張力さらに大きくなる。
【００２９】
ベルト２の長さ、及び、縫い目３の間隔は、張力が望ましいレベルに到達したときにベルト２を最大限に伸ばすことを確実にするように選択されている。
【００３０】
この望ましいレベルは、単にベルト２が露出し、かつ、腹部４がストラップ１から取り除かれることによって表示されてもよい。
【００３１】
上記の代替として、例えば、不十分な張力の場合には露出部分を赤Ｒとするが、赤色の長さを限定して、ベルト２が最大限に引っ張られたとき、緑部分Ｇが赤部分の両側に露出されるようにベルト２を着色してもよい。
【００３２】
さらに、ベルト２は、長手方向の弾性材料又は弾性部材として、ショックコード又はコイルばねに置き換えてもよい。
【００３３】
次に、図３及び図４により、張力表示器の他の実施形態を説明する。
図３に示されるように、前述のベルト２に代えて、張力状態にないときには収縮しているコイルばね１１が配置されている。このコイルばね１１は、端部に輪１２を有し、この輪１２はストラップ１５の１４に縫いつけられる。釘１６は、コイルばね１１の中で固定されずに包み込まれ、ストラップ１が弛むと、図３においては、目視できない。
図４に示されるように、ストラップ１が張力状態となると、釘１６が目視できるようになり、図２においてベルト２の露出がストラップ１の張力を表示するのと同じように、ストラップ１が張力状態であることを表示する。
【図面の簡単な説明】
【００３４】
【図１】張力状態にない（弛んだ状態の）本発明に係る張力表示器及びストラップの斜視図である。
【図２】張力状態にある、図１に示す張力表示器及びストラップの斜視図である。
【図３】張力状態にない、本発明に係る張力表示器及びストラップの他の実施形態を示す斜視図である。
【図４】張力状態にある、図３に示す張力表示器及びストラップの斜視図である。
【符号の説明】
【００３５】
１  ストラップ
２  弾性部材（ベルト）
５，６  視覚的に表示する手段
３  二つの所定箇所（縫い目）
４  腹部
【図１】
2007528821.tif 000003
【図２】
2007528821.tif 000004
【図３】
2007528821.tif 000005
【図４】
2007528821.tif 000006
【国際調査報告】
2007528821.tif 000007
2007528821.tif 000008